(57)【要約】【課題】本発明は、梁貫通孔の補強方法に関し、補強筋の製作が簡単でコストが廉価で、剪断や打ち継ぎの抵抗筋となるように自由に設定が可能な補強筋とすることが課題である。【解決手段】コンクリート構造物の梁１０における貫通孔１１に、該貫通孔の近傍で上下の梁主筋に亘って囲って補強する孔際剪断補強筋１２と、前記貫通孔を囲うようにして梁の両側面に配されるリング型補強筋１４とを配筋すると共に、梁主筋１５の上下のそれぞれからフック部１ａを引っ掛けて棒状本体１ｂを斜めに配筋するステッキ形補強筋１を、前記貫通孔１１に対して該貫通孔を正面視した場合にハの字になるように上下対向して配筋したこととする梁貫通孔の補強方法である。【選択図】図１
2008214992.tif 000002
【特許請求の範囲】
【請求項１】
コンクリート構造物の梁における貫通孔に、該貫通孔の近傍で上下の梁主筋に亘って囲って補強する孔際剪断補強筋と、前記貫通孔を囲うようにして梁の両側面に配されるリング型補強筋とを配筋すると共に、
梁主筋の上下のそれぞれからフック部を引っ掛けて棒状本体を斜めに配筋するステッキ形補強筋を、前記貫通孔に対して該貫通孔を正面視した場合にハの字になるように上下対向して配筋したこと、
を特徴とする梁貫通孔の補強方法。
【請求項２】
梁がプレキャスト梁の場合には、下から斜めに配するステッキ形補強筋は、下の梁主筋にフック部を引っ掛けてそこから上にハの字になるように広がる棒状本体の先端部を更に水平に延設して後打ちコンクリート用の定着長部を設けて成ること、
を特徴とする請求項１に記載の梁貫通孔の補強方法。
【請求項３】
ステッキ形補強筋は、棒状本体の両端部にフック部が形成されていて、上下の梁主筋のうち少なくとも一方に前記フック部でもって引っ掛けられること、
を特徴とする請求項１に記載の梁貫通孔の補強方法。
【請求項４】
ステッキ形補強筋は、フック部と反対側で棒状本体の端部に、定着具が設けられていること、
を特徴とする請求項１に記載の梁貫通孔の補強方法。
【発明の詳細な説明】
【技術分野】
【０００１】
本発明は、例えば、コンクリート構造物の柱と梁との接合部の近く設けられたりすることのある梁貫通孔の補強方法に関するものである。
【背景技術】
【０００２】
従来、図６に示すように、コンクリート造の梁１０の腹部に、給排水用，電線用，冷暖房用等のダクトパイプを挿通させるための貫通孔１１を設けることが多く、梁から突出したダクトパイプは、それを隠すために下がり天井によって覆われる。
【０００３】
前記貫通孔を梁に設けた場合、当該梁のひび割れの防止、曲げ強度や剪断強度などの低下を補償するために、補強対策が採られている。例えば、図７乃至図８に示すように、貫通孔１１の周囲に、孔際剪断補強筋１２と、孔部の上下からその孔部に向かって開くように図９に示す斜めに配されるコ字形補強筋１３と、孔部を加工用に梁両面側に配されるリング型補強筋１４を配置して、これらの組合せで補強している。また他の従来例として、「く」の字に折り曲げられた一対の「く」の字筋によって貫通孔を左右から挟むようにし、且つ、「く」の字筋の中間折曲部が外方に位置するように向かい合わせ状態に配置したものが知られている（特許文献１参照）。
【特許文献１】特開２００６−１６１３０７号公報
【発明の開示】
【発明が解決しようとする課題】
【０００４】
しかし、従来の補強方法では、コ字形補強筋１３では、その形状が複雑であるため、製作及び施工が難しい。また、補強筋として偶数本数しか設定できない不都合がある。更に、プレキャスト梁を想定した場合、下側からのコ字形補強筋は、コンクリートの水平打ち継ぎ面１７より上の部分が、後打ちコンクリート内への定着長が短いため、前記水平打ち継ぎ面１７のずれに対する抵抗筋として考慮されないという不都合がある。また、上記他の従来例における「く」の字筋では、上下の梁主筋に緊結しその中間部に定着補助筋の内端部を掛け止めしなければならないので、配筋方法及びその形成が難しく手間がかかるという課題がある。本発明に係る梁貫通孔の補強方法は、このような課題を解決するために提案されたものである。
【課題を解決するための手段】
【０００５】
本発明に係る梁貫通孔の補強方法の上記課題を解決して目的を達成するための要旨は、コンクリート構造物の梁における貫通孔に、該貫通孔の近傍で上下の梁主筋に亘って囲って補強する孔際剪断補強筋と、前記貫通孔を囲うようにして梁の両側面に配されるリング型補強筋とを配筋すると共に、梁主筋の上下のそれぞれからフック部を引っ掛けて棒状本体を斜めに配筋するステッキ形補強筋を前記貫通孔に対して該貫通孔を正面視した場合にハの字になるように上下対向して配筋したことである。
【０００６】
前記梁がプレキャスト梁の場合には、下から斜めに配するステッキ形補強筋は、下の梁主筋にフック部を引っ掛けてそこから上にハの字になるように広がる棒状本体の先端部を更に水平に延設して後打ちコンクリート用の定着長部を設けて成ること、；
また、前記ステッキ形補強筋は、棒状本体の両端部にフック部が形成されていて、上下の梁主筋のうち少なくとも一方に前記フック部でもって引っ掛けられること、；
更に、前記ステッキ形補強筋は、フック部と反対側で棒状本体の端部に、定着具が設けられていること、；
を含むものである。
【発明の効果】
【０００７】
本発明の梁貫通孔の補強方法によれば、ステッキ形補強筋がその製作が容易で施工性が良いので、補強工事の作業能率が向上する。また、梁主筋の座屈補強筋として、あるいは開孔部の斜め補強筋として、前記ステッキ形補強筋を制約無く自由に設置して使用できる。そして、プレキャスト梁では、ステッキ形補強筋を水平打ち継ぎ面に交差させ、後打ちコンクリート内に十分定着させることで、水平打ち継ぎ面のずれに対する抵抗筋として作用する。
【０００８】
更に、ステッキ形補強筋のうち、剪断筋として利かせるものは梁軸方向に対して斜めに、コンクリート水平打ち継ぎ面の補強として利かせるものは、打ち継ぎ面に対して直角に挿入する等、夫々の補強としての目的に応じて、必要な本数と配筋の角度を自由に設定することができる。よって、梁貫通孔の補強を行うと共に、剪断やコンクリート打ち継ぎの補強にも対応させることができる。また、梁主筋に係止させるフック部を両端部設けたり、一端側に定着具を設けたりすることで、配筋定着作業が能率的になって容易且つ工期短縮となる。
【発明を実施するための最良の形態】
【０００９】
本発明に係る梁貫通孔の補強方法について説明する、なお、従来例と同じものについては同符号を用いて説明する。図１に示すように、コンクリート構造物の梁１０にダクトパイプを挿通させるため貫通孔１１が設けられる。
【００１０】
この貫通孔１１の周囲にひび割れなどが発生しないように、該貫通孔１１の近傍で上下の梁主筋１５に亘ってその周囲を囲って補強する四角形若しくは図３（Ｂ），（Ｃ）に示すような形状の孔際剪断補強筋１２と、前記貫通孔１１を囲うようにして梁１０の両側面に配されるリング型補強筋１４とを配筋すると共に、前記梁主筋１５の上下のそれぞれからフック部１ａを引っ掛けて棒状本体１ｂを斜めに配筋するステッキ形補強筋１を、前記貫通孔１１に対して該貫通孔１１を正面視した場合にハの字になるように上下対向して配筋するものである。
【００１１】
前記孔際剪断補強筋１２とリング型補強筋１４とは、従来例と同様の補強筋である。そして、前記ステッキ形補強筋１は、図５（Ａ）に示すように、基本形としてＵ字形に屈曲した先端部のフック部１ａと、直線状の棒状体１ｂとから形成されている。
【００１２】
前記ステッキ形補強筋１は、図１及び図３（Ａ）に示すように、フック部１ａを梁主筋１５に引っ掛けるものである。棒状本体１ｂは、貫通孔１１を正面視して、「ハ」の字になるように、または、下から上に逆さまに見て、「ハ」の字になるように、斜めに配置して番線などで孔際剪断補強筋１２等に繋いで位置固定するものである。
【００１３】
また、梁１０がプレキャスト梁の場合には、図２及び図５（Ｂ）に示すように、下から斜めに配するステッキ形補強筋は、下の梁主筋１５にフック部１ａを引っ掛けてそこから上に「ハ」の字になるように広がる棒状本体１ｂの先端部を更に水平に延設して後打ちコンクリート用の定着長部１ｄを設けて成るステッキ形補強筋１ｃとする。
【００１４】
このように、水平な定着長部１ｄがあることで、プレキャスト梁１０に対して、後打ちコンクリート内に十分に定着させることができ、水平打ち継ぎ面１７のずれに対する抵抗筋とすることが可能となる。
【００１５】
また、このほか、図５（Ｃ）に示すように、棒状本体１ｂの両端部にＵ字状屈曲部１ａを設けたステッキ形補強筋１ｅにしたり、図５（Ｄ）に示すように、先端定着具１ｆが設けられたステッキ形補強筋１ｇとすることができる。これらは、確保できる定着長の具合により、設定されるものである。
【００１６】
以上のようにして、梁１０に貫通孔１１を設けて、それを補強する際に、前記ステッキ形補強筋１，１ｃ，１ｅ，１ｇを、「ハ」の字形に入れたり、打ち継ぎ面１７に直角に入れたり、梁軸方向に斜めに入れたり、その目的に応じて、配置方向や配筋角度及び本数を任意に定めることができるものである。
【産業上の利用可能性】
【００１７】
本発明に係る梁貫通孔の補強方法は、例えば、コンクリートに形成するボイド等の補強にも適用することができるばかりでなく、コンクリート構造物において曲げや剪断等の負荷のかかる部分の補強方法にも適用することができるものである。
【図面の簡単な説明】
【００１８】
【図１】本発明に係る梁貫通孔の補強方法を示す説明図である。
【図２】同本発明の梁貫通孔の補強方法で、梁１０がプレキャスト梁の場合の説明図である。
【図３】ステッキ形補強筋１，１ｃの使用方法を示す説明図（Ａ）と、孔際剪断補強筋１２の他の実施例に係る形状を示す説明図（Ｂ），（Ｃ）である。
【図４】同平面図である。
【図５】ステッキ形補強筋１，１ｃ，１ｅ，１ｇの各々の斜視図（Ａ）〜（Ｄ）である
【図６】コンクリート構造物において、梁に貫通孔１１が設けられる状態を示す説明図である。
【図７】従来例に係る梁貫通孔１１の補強筋の配筋状況を示す説明図である。
【図８】同平面図である。
【図９】コ字形補強筋１３の正面図である。
【符号の説明】
【００１９】
１          ステッキ形補強筋、              １ａ          フック部、
１ｂ        棒状本体、                      １ｄ          定着長部、
１ｃ，１ｅ，１ｇ    その他のステッキ形補強筋、
１ｆ        先端定着具、
１０        梁、      
１１        貫通孔、
１２        孔際剪断補強筋、
１３        コ字形補強筋、
１４        リング型補強筋、  
１５        梁主筋、
１６        スターラップ、
１７        打ち継ぎ面。
【図１】
2008214992.tif 000003
【図２】
2008214992.tif 000004
【図３】
2008214992.tif 000005
【図４】
2008214992.tif 000006
【図５】
2008214992.tif 000007
【図６】
2008214992.tif 000008
【図７】
2008214992.tif 000009
【図８】
2008214992.tif 000010
【図９】
2008214992.tif 000011